(57)【要約】【課題】  ホコリの発生を抑え、作業環境の劣化を防止する除電装置を提供する。【解決手段】  机と、机に装着された無風型除電器とを有する。無風型除電器は、机の端部、内部、上面のいずれか１つに装着される。無風型除電器は作業位置と退避位置との間で可動である。無風型除電器から放射されるイオンの放射方向を開閉する開閉蓋をさらに有する。【選択図】  図１
2006019154.tif 000002
【特許請求の範囲】
【請求項１】
机と、該机に装着された無風型除電器とを有することを特徴とする除電装置。
【請求項２】
請求項１記載の除電装置において、前記無風型除電器は、前記机の端部、内部、上面のいずれか１つに装着されることを特徴とする除電装置。
【請求項３】
請求項１記載の除電装置において、前記無風型除電器は作業位置と退避位置との間で可動であることを特徴とする除電装置。
【請求項４】
請求項１記載の除電装置において、前記無風型除電器から放射されるイオンの放射方向を開閉する開閉蓋をさらに有することを特徴とする除電装置。
【請求項５】
請求項４記載の除電装置において、前記無風型除電器から放射されるイオンの放射口に配置された格子状カバーをさらに有することを特徴とする除電装置。
【請求項６】
請求項３または４に記載の除電装置において、前記無風型除電器が作業位置と退避位置との間で可動するとき、または前記開閉蓋が開閉移動するとき、前記無風型除電器のオン／オフの切り替えを行うオン／オフ切換手段をさらに有することを特徴とする除電装置。
【請求項７】
机と、該机の内部に装着された無風型除電器と、該無風型除電器のイオン放射口に配置された格子状カバーとを有することを特徴とする除電装置。
【請求項８】
請求項５または７記載の除電装置において、前記格子状カバーが接地されていることを特徴とする除電装置。
【発明の詳細な説明】
【技術分野】
【０００１】
本発明は、除電装置に関し、特に、無風型除電器を作業机と関連して用いる除電装置に関する。
【背景技術】
【０００２】
従来のファンを持たない無風型の除電器（無風型除電器という）はイオンの飛距離が２００〜３００ｍｍと短く、ワークの近くに置かないと除電効果が低かった。
【０００３】
しかし、図６に示すように、作業域はワーク（図示せず）を出し入れしたり向きを変えたり動かすため、至近距離に除電器を置くことは難しかった。例えば、作業机（作業デスク、又は単に机という）の上方は１，２００ｍｍの空間が必要で、作業机の奥行きは７００ｍｍの懐が必要と言うように、作業用の広い空間（作業域）に除電器を置くことはできなかった。
【０００４】
そのため作業用の広い空間（作業域）の外からイオンを振り掛けるため、イオンの飛距離を稼がねばならなく、ファンでイオンを運ぶタイプの除電器１２、１４が用いられた。机１０の上にファン型の除電器１２を置いたり、作業域の上部に除電器１４を吊るす形で、矢印で示すように、作業域外からファンで風に乗せてイオンを送っている。
【発明の開示】
【発明が解決しようとする課題】
【０００５】
ところがファンで風を送ると、ホコリを巻き上げてクリーン環境を壊すと言う問題があった。最近はクリーンルームやクリーンベンチといったクリーン環境を用いてホコリによる不良発生を抑えているため、基本的にファンで風を送ることはできないがやむを得ず使用している。そのため不良品の発生が多く、歩留まりの改善ができない状態である。
【０００６】
また、除電器はオゾンを発生するので、臭いがして作業者１６が気持ちを悪くする場合がある。作業者１６の前方や上方からイオンを降らせるので、オゾンも作業者の顔に掛かり、労働環境の劣化を引き起こしている。
【０００７】
除電器１２、１４の放電針から異物が放射されるので、ワークを汚してしまう。ワークの前方や上方から風に乗ってイオンを運ぶので異物も同時に運んでしまう。この結果、汚染による不良は避けられない。このように現在のところ、多くの問題を抱えており、除電のための良い方法が見出されないでいた。
【課題を解決するための手段】
【０００８】
風を用いた除電器は基本的にクリーン環境を破壊してしまうので、本発明では、無風型除電器を用いる。しかし広い作業域の外から無風型除電器でイオンをワークに届けるには距離がありすぎるので難しいため、机の天板の内部または近くに無風型除電器を装備し、ワークに近い場所からイオンをワークに照射する。その方法には次のようないくつかの形態がある。
１）机の手前の天板の端に無風型除電器を組み込む。
２）作業者とワークの間の天板の内部に無風型除電器を組み込む。
３）机の奥の天板に無風型除電器を組み込む。
４）机の奥で天板の上に低背の無風型除電器を置く。
【発明の効果】
【０００９】
本発明は、ワークに対する汚染を防止でき、作業者に対する労働環境を改善できる。
【発明を実施するための最良の形態】
【００１０】
本発明の除電装置は、机と、該机に装着された無風型除電器とを有する。
【実施例１】
【００１１】
図１は、本発明の実施例１の除電装置を示す図である。実施例１の除電装置は、机の手前の天板の端に無風型除電器（単に、除電器という場合もある）を組み込むものである。図１ａに示すように、不使用時（格納時）では、除電器２０は、机の天板の延長上の退避位置にあり、このとき、除電器の電源がＯＦＦ（オフ）になってイオンは放射されない。
【００１２】
図１ｂに示すように、使用時（取り出し時）では、除電器２０は、退避位置から作業位置に回転されて、除電器２０から放射されるイオン１８が机の上方に向けられる位置にもたらされる。このとき、除電器の電源が０Ｎ（オン）になってイオンが放射される。
【００１３】
図１ｃは実際の使用状況を示す。図１ｃにおいて、作業者１６の胸の前は空いているのでそこに除電器２０が配置される状態となる。実際にはクリーンベンチではダウンフロー２２または水平フローが前方から吹いてくるのでイオン１８はこれに逆らって、風下から風上に放射する形になる。
【００１４】
クリーンベンチ等の風は０.３m／秒程度と弱い風なのでイオン１８は多少戻される程度で問題は無い。また風下から放射するので、副産物のオゾンも放射されるが（イオンにはクーロンの反発力が働き飛ばされるが）、オゾンにはクーロンの反発力が働かないのでほとんど風に押し流され作業者の顔に届かない。即ち臭いもしないので作業環境の悪化は起きない。
【００１５】
また、除電器２０の放電針（図１ｃには図示せず）から放射される異物もオゾンと同様、クーロンの反発力が働かないので、ほとんど風に流されワークには届かない。したがって放電針からの異物放射による不良は発生しない。取り出し時に作業者１６やワーク５０が除電器２０に触れないように前面に格子を設けても良い。
【００１６】
図２、図３は、除電器の拡大斜視図および拡大断面図である。図２、図３において、除電器２０は、除電器本体２３を有し、イオンを発生して放射するイオン発生部２４は回転軸２６を中心として回転可能に配置されている。このため、図３に示すように、除電器２０のイオン発生部２４は放電針３２が斜め上方に向いた作業位置と放電針３２が水平方向に向いた退避位置（図２に示す位置）の間で可動となっている。なお、説明の便宜上、除電器２０のイオン発生部２４の可動を、単に、除電器の可動という場合もある。
【００１７】
図３に示すように、リミットスイッチ３０が除電器に設けられており、このリミットスイッチ３０は、除電器のイオン発生部２４が回転するとき、除電器２０の電源をオン／オフ制御する。即ち、退避位置から作業位置に回転するとき、電源をオンし、作業位置から退避位置に回転するとき、電源をオフする。もちろん、このリミットスイッチとともに、または、このリミットスイッチに代えて、除電器の電源をオン／オフするスイッチを設けてもよい。
【実施例２】
【００１８】
図４は、本発明の実施例２の除電装置を示す図である。図４に示すように、実施例２では、作業者（図示せず）とワーク（図示せず）の間の机１０の天板の内部に除電器２０を組み込む。ワーク（図示せず）と作業者（図示せず）の間に置き、ダウンフローまたは水平フローの風（図示せず）に逆らうように除電器２０からイオン１８を放射する。図４ａに示すように、不使用時では除電器２０のイオンの放射方向が開閉蓋３４で覆われ、除電器２０の電源もＯＦＦにしイオンは放射されない。一方、図４ｂに示すように、使用時では開閉蓋が開き、イオンが放射される。接地された格子で覆われ作業者やワークが触れないようにすると良い。
【００１９】
この場合はワークとの距離がさらに近くなるのでイオンはより届きやすい。オゾンの問題と放電針の異物放射問題も実施例１と同様解決されている。また、開閉蓋の開閉に伴って除電器のオン／オフを制御するリミットスイッチを設けてもよい。
【実施例３】
【００２０】
実施例２では、除電器がワークと作業者の間で、机の天板の内部に除電器が組み込まれているが、実施例３では、机の奥の天板に除電器が組み込まれたものである（図示せず）。即ち、除電器はワークより前方に組み込まれたものである。除電器の構成や机への取付は実施例１または実施例２と同様であるので、詳細な説明は省略する。この場合にも、イオンの放射方向がダウンフローや水平フローに沿わせているのでイオンの飛距離が長いこと以外は実施例１、２と同様である。
【実施例４】
【００２１】
実施例４では、机の奥で天板の上に低背の除電器を置いたものである（図示せず）。机の奥で天板の上に低背の除電器を置く方式では、多少机の上に顔を出しているので邪魔になるかも知れないが、特に問題にならない場合が多い。イオンの放射方向がダウンフローや水平フローに沿わせているのでイオンの飛距畔が長いこと以外は実施例１、２と同様である。
【実施例５】
【００２２】
図５は本発明の実施例５の除電装置を示す図である。実施例５では、机自身を除電器にしたものといえる。机１０に、例えば、バー型の除電器２０が組み込まれている。この除電器ではイオン１８の飛距離の間題はない。またオゾンもダウンフローや水平フローにより流され作業者の顔には届かないので問題は無い。放電針の放射する異物はもともと机の中から上に向かって放射しているし、ダウンフローや水平フローに押されるので机上には出てこない。
【図面の簡単な説明】
【００２３】
【図１】本発明の実施例１の除電装置を示す図である。
【図２】実施例１の除電器の拡大斜視図である。
【図３】実施例１の拡大断面図である。
【図４】実施例２の除電装置を示す図である。
【図５】実施例５の除電装置を示す図である。
【図６】従来例の除電装置を示す図である。
【符号の説明】
【００２４】
１０  机
２０  除電器
２４  イオン発生部
２６  回転軸
３０  リミットスイッチ
３２  放電針
３４  開閉蓋
【図１】
2006019154.tif 000003
【図２】
2006019154.tif 000004
【図３】
2006019154.tif 000005
【図４】
2006019154.tif 000006
【図５】
2006019154.tif 000007
【図６】
2006019154.tif 000008